(57)【特許請求の範囲】
【請求項１】
通信方法であって、
端末デバイスが第１指示情報に従ってアップリンク制御チャネルの物理リソースの符号分割多重化能力を取得する段階であって、前記符号分割多重化能力は、符号分割方式で前記アップリンク制御チャネルの前記物理リソース内のユニットリソースに多重化され得る端末デバイスの数であり、前記第１指示情報は、上位層シグナリングで搬送され、前記上位層シグナリングは、第２指示情報を更に搬送し、前記第２指示情報は、前記アップリンク制御チャネルのシンボル数および前記アップリンク制御チャネルの開始シンボル位置を示すために使用される、段階と、
前記端末デバイスが前記符号分割多重化能力に基づいて前記物理リソースを決定する段階と、
前記端末デバイスが前記アップリンク制御チャネルの前記物理リソース上でアップリンク制御情報を送信する段階と
を備える方法であって、
前記端末デバイスが、上位層シグナリングまたは動的シグナリングを使用してネットワークデバイスにより構成されている前記物理リソースの第１リソースインデックスを取得する段階と、
前記端末デバイスが, 前記第２指示情報に従って、前記アップリンク制御チャネルの前記シンボル数および前記開始シンボル位置を取得する段階と
を更に備え、
前記端末デバイスが前記符号分割多重化能力に基づいて前記物理リソースを決定する前記段階は具体的に、
前記端末デバイスが、前記第１リソースインデックス、前記符号分割多重化能力、並びに、前記アップリンク制御チャネルの前記シンボル数および前記開始シンボル位置に基づいて前記物理リソースを決定する段階
を有する、
方法。
【請求項２】
前記端末デバイスが、前記第１リソースインデックス、前記符号分割多重化能力、並びに、前記アップリンク制御チャネルの前記シンボル数および前記開始シンボル位置に基づいて前記物理リソースを決定する前記段階は具体的に、
前記端末デバイスが、前記物理リソースの前記符号分割多重化能力に基づいて、前記物理リソース内の前記ユニットリソースに多重化され得る端末デバイスの数を決定する段階と、
前記端末デバイスが、前記第１リソースインデックスを、前記ユニットリソースに多重化され得る前記端末デバイスの数で割ったときの商を取得することにより、周波数領域における前記物理リソースの第２リソースインデックスを決定する段階と、
前記端末デバイスが、前記第１リソースインデックスを、前記ユニットリソースに多重化され得る前記端末デバイスの数で割って剰余を取得することにより符号領域における前記物理リソースの第３リソースインデックスを決定する段階と、
前記端末デバイスが、前記アップリンク制御チャネルの前記シンボル数および前記開始シンボル位置に基づいて時間領域における前記物理リソースの第４リソースインデックスを決定する段階と
を含む、請求項１に記載の方法。
【請求項３】
前記端末デバイスが第３指示情報を受信する段階であって、前記第３指示情報は、シンボル数およびシンボル位置の集合を示す、段階と、
前記端末デバイスがネットワークデバイスにより送信された第２指示情報を受信する段階であって、前記第２指示情報は、前記集合における前記アップリンク制御チャネルの前記シンボル数および前記開始シンボル位置のインデックスを示すために使用される、段階と
を更に備える、請求項１または２に記載の方法。
【請求項４】
前記第２指示情報は、前記集合における前記アップリンク制御チャネルの前記シンボル数および前記開始シンボル位置の前記インデックスを含み、前記集合は、上位層シグナリングを使用して前記ネットワークデバイスにより構成される、請求項３に記載の方法。
【請求項５】
前記集合における複数の異なるシンボル数および開始シンボル位置によりサポートされ得る最大符号分割多重化能力が同じであるか、前記集合における複数の異なるシンボル数および開始シンボル位置に対応するスロットタイプが同じである、請求項４に記載の方法。
【請求項６】
時間領域で前記アップリンク制御チャネルにより占有されるシンボルの数が４から１４であり、符号分割方式で前記物理リソース内の前記ユニットリソースに多重化され得る前記端末デバイスの数は、符号分割方式で前記物理リソース内の前記ユニットリソースに多重化されない端末デバイスの数の１倍、２倍または３倍である、
請求項２に記載の方法。
【請求項７】
通信方法であって、
ネットワークデバイスがアップリンク制御チャネルの物理リソースの符号分割多重化能力に基づいて前記物理リソースを決定する段階であって、前記符号分割多重化能力は、符号分割方式で前記物理リソース内のユニットリソースに多重化され得る端末デバイスの数であり、前記符号分割多重化能力は、第１指示情報を使用してネットワークデバイスにより端末デバイス用に構成され、前記第１指示情報は、上位層シグナリングで搬送され、前記上位層シグナリングは、第２指示情報を更に搬送し、前記第２指示情報は、前記アップリンク制御チャネルのシンボル数および前記アップリンク制御チャネルの開始シンボル位置を示すために使用される、段階と、
前記ネットワークデバイスが、前記アップリンク制御チャネルの前記物理リソース上で、前記端末デバイスにより送信されたアップリンク制御情報を受信する段階と
を備える方法。
【請求項８】
第３指示情報を送信する段階であって、前記第３指示情報は、シンボル数および開始シンボル位置の集合を示す、段階と、
第２指示情報を送信する段階であって、前記第２指示情報は、前記集合における前記アップリンク制御チャネルの前記シンボル数および前記開始シンボル位置のインデックスを示すために使用される、段階と
を更に備える、請求項７に記載の方法。
【請求項９】
前記第２指示情報は、前記集合における時間領域の前記アップリンク制御チャネルの前記シンボル数および前記開始シンボル位置の前記インデックスを含む、請求項８に記載の方法。
【請求項１０】
前記集合は、上位層シグナリングを使用して前記ネットワークデバイスにより構成される、請求項８または９に記載の方法。
【請求項１１】
前記集合における複数の異なるシンボル数および開始シンボル位置によりサポートされ得る最大符号分割多重化能力が同じであるか、前記集合における複数の異なるシンボル数および開始シンボル位置に対応するスロットタイプが同じである、請求項８から１０の何れか一項に記載の方法。
【請求項１２】
時間領域で前記アップリンク制御チャネルにより占有されるシンボルの数が４から１４であり、符号分割方式で前記物理リソース内の前記ユニットリソースに多重化され得る前記端末デバイスの数は、符号分割方式で前記物理リソース内の前記ユニットリソースに多重化されない端末デバイスの数の１倍、２倍または３倍である、
請求項８から１１の何れか一項に記載の方法。
【請求項１３】
端末デバイスであって、
第１指示情報に従ってアップリンク制御チャネルの物理リソースの符号分割多重化能力を取得するように構成されているプロセッサと、
前記プロセッサにより決定された前記アップリンク制御チャネルの前記物理リソース上でアップリンク制御情報を送信するように構成されている送受信機と
を備え、
前記符号分割多重化能力は、符号分割方式で前記アップリンク制御チャネルの前記物理リソース内のユニットリソースに多重化され得る端末デバイスの数であり、前記第１指示情報は、上位層シグナリングで搬送され、前記上位層シグナリングは、第２指示情報を更に搬送し、前記第２指示情報は、前記アップリンク制御チャネルのシンボル数および前記アップリンク制御チャネルの開始シンボル位置を示すために使用され、
前記プロセッサは更に、前記符号分割多重化能力に基づいて前記物理リソースを決定するように構成され、
前記プロセッサは更に、上位層シグナリングまたは動的シグナリングを使用してネットワークデバイスにより構成されている前記物理リソースの第１リソースインデックスを取得し、前記第２指示情報に従って、前記アップリンク制御チャネルの前記シンボル数および前記開始シンボル位置を取得するように構成され、
前記プロセッサは具体的に、前記第１リソースインデックス、前記符号分割多重化能力、並びに、前記アップリンク制御チャネルの前記シンボル数および前記開始シンボル位置に基づいて前記物理リソースを決定するように構成される、
端末デバイス。
【請求項１４】
前記プロセッサは具体的に、
前記物理リソースの前記符号分割多重化能力に基づいて、前記物理リソース内の前記ユニットリソースに多重化され得る端末デバイスの数を決定し、
前記第１リソースインデックスを、前記ユニットリソースに多重化され得る前記端末デバイスの数で割ったときの商を取得することにより、周波数領域における前記物理リソースの第２リソースインデックスを決定し、
前記第１リソースインデックスを、前記ユニットリソースに多重化され得る前記端末デバイスの数で割って剰余を取得することにより符号領域における前記物理リソースの第３リソースインデックスを決定し、
前記アップリンク制御チャネルの前記シンボル数および前記開始シンボル位置に基づいて時間領域における前記物理リソースの第４リソースインデックスを決定する
ように構成される、請求項１３に記載の端末デバイス。
【請求項１５】
前記送受信機は更に、
第３指示情報を受信することであって、前記第３指示情報は、シンボル数および開始シンボル位置の集合を示す、受信することと、
ネットワークデバイスにより送信された第２指示情報を受信することであって、前記第２指示情報は、前記集合における時間領域の前記アップリンク制御チャネルの前記シンボル数および前記開始シンボル位置のインデックスを示すために使用される、受信することと
を行うように構成される、
請求項１３または１４に記載の端末デバイス。
【請求項１６】
前記第２指示情報は、前記集合における前記アップリンク制御チャネルの前記シンボル数および前記開始シンボル位置の前記インデックスを含み、前記集合は、上位層シグナリングを使用して前記ネットワークデバイスにより構成される、請求項１５に記載の端末デバイス。
【請求項１７】
前記集合における複数の異なるシンボル数および開始シンボル位置によりサポートされ得る最大符号分割多重化能力が同じであるか、前記集合における複数の異なるシンボル数および開始シンボル位置に対応するスロットタイプが同じである、請求項１６に記載の端末デバイス。
【請求項１８】
時間領域で前記アップリンク制御チャネルにより占有されるシンボルの数が４から１４であり、符号分割方式で前記物理リソース内の前記ユニットリソースに多重化され得る前記端末デバイスの数は、符号分割方式で前記物理リソース内の前記ユニットリソースに多重化されない端末デバイスの数の１倍、２倍または３倍である、
請求項１３から１７の何れか一項に記載の端末デバイス。
【請求項１９】
ネットワークデバイスであって、
アップリンク制御チャネルの物理リソースの符号分割多重化能力に基づいて前記物理リソースを決定するように構成されているプロセッサであって、前記符号分割多重化能力は、符号分割方式で前記物理リソース内のユニットリソースに多重化され得る端末デバイスの数であり、前記符号分割多重化能力は、第１指示情報を使用してネットワークデバイスにより端末デバイス用に構成され、前記第１指示情報は、上位層シグナリングで搬送され、前記上位層シグナリングは、第２指示情報を更に搬送し、前記第２指示情報は、前記アップリンク制御チャネルのシンボル数および前記アップリンク制御チャネルの開始シンボル位置を示すために使用される、プロセッサと、
前記プロセッサにより決定された前記アップリンク制御チャネルの前記物理リソース上で、前記端末デバイスにより送信されたアップリンク制御情報を受信するように構成されている送受信機と
を備えるネットワークデバイス。
【請求項２０】
前記送受信機は更に、
第３指示情報を送信することであって、前記第３指示情報は、シンボル数および開始シンボル位置の集合を示す、送信することと、
第２指示情報を送信することであって、前記第２指示情報は、前記集合における時間領域の前記アップリンク制御チャネルの前記シンボル数および前記開始シンボル位置のインデックスを示すために使用される、送信することと
を行うように構成される、
請求項１９に記載のネットワークデバイス。
【請求項２１】
前記第２指示情報は、前記集合における前記アップリンク制御チャネルの前記シンボル数および前記開始シンボル位置の前記インデックスを含む、請求項２０に記載のネットワークデバイス。
【請求項２２】
前記集合は、上位層シグナリングを使用して前記ネットワークデバイスにより前記端末デバイス用に構成される、
請求項２０または２１に記載のネットワークデバイス。
【請求項２３】
前記集合における複数の異なるシンボル数および開始シンボル位置によりサポートされ得る最大符号分割多重化能力が同じであるか、前記集合における複数の異なるシンボル数および開始シンボル位置に対応するスロットタイプが同じである、請求項２０から２２の何れか一項に記載のネットワークデバイス。
【請求項２４】
時間領域で前記アップリンク制御チャネルにより占有されるシンボルの数が４から１４であり、符号分割方式で前記物理リソース内の前記ユニットリソースに多重化され得る前記端末デバイスの数は、符号分割方式で前記物理リソース内の前記ユニットリソースに多重化されない端末デバイスの数の１倍、２倍または３倍である、
請求項１９から２３の何れか一項に記載のネットワークデバイス。
【請求項２５】
請求項１から６の何れか一項に記載の方法をコンピュータに実行させるためのプログラム。
【請求項２６】
請求項７から１２の何れか一項に記載の方法をコンピュータに実行させるためのプログラム。
【請求項２７】
プロセッサとメモリとを備える通信装置であって、
前記メモリは、命令を記憶するように構成され、
前記通信装置が請求項１から６の何れか一項に記載の方法の段階を実装するよう、前記プロセッサが前記命令を実行するように構成される、
通信装置。
【請求項２８】
プロセッサとメモリとを備える通信装置であって、
前記メモリは、命令を記憶するように構成され、
前記通信装置が請求項７から１２の何れか一項に記載の方法の段階を実装するよう、前記プロセッサが前記命令を実行するように構成される、
通信装置。
【請求項２９】
請求項１から６の何れか一項に記載の方法を実装するための装置。
【請求項３０】
請求項７から１２の何れか一項に記載の方法を実装するための装置。
【発明の詳細な説明】
【技術分野】
【０００１】
本願は、２０１７年５月４日に中国特許庁へ出願された「ＣＯＭＭＵＮＩＣＡＴＩＯＮ  ＭＥＴＨＯＤ，  ＴＥＲＭＩＮＡＬ  ＤＥＶＩＣＥ，  ＡＮＤ  ＮＥＴＷＯＲＫ  ＤＥＶＩＣＥ」と題する中国特許出願第２０１７１０３０９７８４．Ｘ号に対する優先権を主張するものであり、その全体が参照により本明細書に組み込まれる。
【０００２】
本願は、通信分野、より具体的には、通信方法、端末デバイスおよびネットワークデバイスに関する。
【背景技術】
【０００３】
ロングタームエボリューション（Ｌｏｎｇ  Ｔｅｒｍ  Ｅｖｏｌｕｔｉｏｎ、ＬＴＥ）システムでは、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）が送信用のサブフレームを１つ占有する。具体的に言うと、ＰＵＣＣＨは、時間領域で１４個の直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルまたは離散フーリエ変換拡散直交周波数分割多重化（ＤＦＴ  ｓｐｒｅａｄ  ＯＦＤＭ、ＤＦＴ−ｓ−ＯＦＤＭ）シンボルを占有する。つまり、時間領域でＰＵＣＣＨにより占有されるシンボルの数は固定されている。
【０００４】
第５世代（Ｔｈｅ  ５ｔｈ  Ｇｅｎｅｒａｔｉｏｎ、５Ｇ）システムにおいて、長い物理アップリンク制御チャネル（ｌｏｎｇ  ＰＵＣＣＨ）を送信するために使用され得るスロットには、アップリンク専用スロット（Ｕｐｌｉｎｋ  ｏｎｌｙ  ｓｌｏｔ、ＵＬ−ｏｎｌｙ）およびアップリンク中心スロット（Ｕｐｌｉｎｋ  Ｃｅｎｔｒｉｃ  ｓｌｏｔ、ＵＬ−ｃｅｎｔｒｉｃ）という２つのスロットタイプが含まれる。加えて、潜在的なダウンリンク制御チャネル、ガード期間および短いアップリンク制御チャネルが、あるスロットにおいて幾つかのシンボルを占有し得る。結果的に、ｌｏｎｇ  ＰＵＣＣＨは、送信用のスロットにおいて全てまたは幾つかのアップリンクシンボルを占有し得る。つまり、時間領域でｌｏｎｇ  ＰＵＣＣＨにより占有されるシンボルの数は可変的である。結果として、ｌｏｎｇ  ＰＵＣＣＨにより占有される物理リソースの符号分割多重化能力が適宜変化する。
【０００５】
５Ｇシステムのこうした新しいシナリオにおいて、固定長のＰＵＣＣＨのリソースがＬＴＥシステムの方式で決定される場合は、ユーザ機器は、可変長のｌｏｎｇ  ＰＵＣＣＨの物理リソースを正確に決定することができないかもしれない。従って、ｌｏｎｇ  ＰＵＣＣＨにより占有される物理リソースをいかにして決定するかが、解決する必要がある技術的課題になる。
【発明の概要】
【０００６】
本願は、アップリンク制御チャネルのリソースを正確に決定するための通信方法、端末デバイスおよびネットワークデバイスを提供する。
【０００７】
第１態様によれば、通信方法が提供される。ここで、方法は、端末デバイスが、送信予定のアップリンク制御チャネルにより占有される物理リソースの符号分割多重化能力を取得する段階であって、符号分割多重化能力は、符号分割方式で物理リソース内のユニットリソースに多重化され得る端末デバイスの数であり、符号分割多重化能力は、ある構成に基づいている、段階と、端末デバイスが符号分割多重化能力に基づいて物理リソースを決定する段階と、端末デバイスが物理リソース上でアップリンク制御情報を送信する段階とを含む。
【０００８】
アップリンク制御チャネルのリソースは、送信予定のアップリンク制御チャネルにより占有される物理リソースの符号分割多重化能力に基づいて、アップリンク制御チャネルにより占有される物理リソースを決定することによって正確に決定され得る。
【０００９】
幾つかの考えられる実装において、方法は更に、端末デバイスが物理リソースの第１リソースインデックスを取得する段階と、端末デバイスがアップリンク制御チャネルのシンボル数および／またはシンボル位置を取得する段階とを更に含み、端末デバイスが符号分割多重化能力に基づいて物理リソースを決定する段階は具体的に、端末デバイスが第１リソースインデックス、符号分割多重化能力、並びに、アップリンク制御チャネルのシンボル数および／またはシンボル位置に基づいて物理リソースを決定する段階を含む。
【００１０】
アップリンク制御チャネルにより占有される物理リソースの第１リソースインデックスは、上位層シグナリングを使用してネットワークデバイスにより半静的に構成されてもよいし、動的シグナリングを使用して通知されてもよい。
【００１１】
アップリンク制御チャネルのシンボル数および／またはシンボル位置は、時間領域でアップリンク制御チャネルにより占有されるシンボルの数および／またはシンボルの位置である。アップリンク制御チャネルのシンボル数および／またはシンボル位置は、上位層シグナリングを使用してネットワークデバイスにより半静的に構成されてもよいし、動的シグナリングを使用して通知されてもよい。
【００１２】
幾つかの考えられる実装において、端末デバイスが第１リソースインデックス、符号分割多重化能力、並びに、アップリンク制御チャネルのシンボル数および／またはシンボル位置に基づいて物理リソースを決定する段階は具体的に、端末デバイスが物理リソースの符号分割多重化能力に基づいて、物理リソース内のユニットリソースに多重化され得る端末デバイスの数を決定する段階と、端末デバイスが、第１リソースインデックスを、ユニットリソースに多重化され得る端末デバイスの数で割ったときの商を取得することにより、周波数領域における物理リソースの第２リソースインデックスを決定する段階と、端末デバイスが、第１リソースインデックスを、ユニットリソースに多重化され得る端末デバイスの数で割って剰余を取得することにより符号領域における物理リソースの第３リソースインデックスを決定する段階と、端末デバイスが、アップリンク制御チャネルのシンボル数および／またはシンボル位置に基づいて時間領域における物理リソースの第４リソースインデックスを決定する段階とを含む。
【００１３】
幾つかの考えられる実装において、符号分割多重化能力がある構成に基づいていることは、符号分割多重化能力が時間領域でアップリンク制御チャネルにより占有されるシンボルの数に基づいて構成されていることを含む。
【００１４】
幾つかの考えられる実装において、方法は更に、端末デバイスが、ネットワークデバイスにより送信された第１指示情報を受信する段階を含み、符号分割多重化能力がある構成に基づいていることは、符号分割多重化能力が第１指示情報に基づいて構成されていることを含む。
【００１５】
幾つかの考えられる実装において、方法は更に、端末デバイスが、ネットワークデバイスにより送信された第２指示情報を受信する段階を含む。ここで、第２指示情報は、アップリンク制御チャネルのシンボル数および／またはシンボル位置を示すために使用される。
【００１６】
幾つかの考えられる実装において、第２指示情報は、ある集合におけるアップリンク制御チャネルのシンボル数および／またはシンボル位置のインデックスを含み、当該集合は、上位層シグナリングを使用してネットワークデバイスにより構成される。
【００１７】
幾つかの考えられる実装では、集合における複数の異なるシンボル数および／またはシンボル位置によりサポートされ得る最大符号分割多重化能力が同じであるか、集合における複数の異なるシンボル数および／またはシンボル位置に対応するスロットタイプが同じである。
【００１８】
幾つかの考えられる実装において、時間領域でアップリンク制御チャネルにより占有されるシンボルの数は４から１４であり、符号分割方式で物理リソース内のユニットリソースに多重化され得る端末デバイスの数は、符号分割方式で物理リソース内のユニットリソースに多重化されない端末デバイスの対応する数の１倍、２倍または３倍である。
【００１９】
第２態様によれば、通信方法が提供される。ここで、方法は、ネットワークデバイスが、端末デバイスにより送信される予定のアップリンク制御チャネルによって占有される物理リソースの符号分割多重化能力に基づいて物理リソースを決定する段階であって、符号分割多重化能力は、符号分割方式で物理リソース内のユニットリソースに多重化され得る端末デバイスの数であり、符号分割多重化能力は、ある構成に基づいている、段階と、ネットワークデバイスが物理リソース上で、端末デバイスにより送信されたアップリンク制御情報を受信する段階とを含む。
【００２０】
本発明のこの実施形態において、アップリンク制御チャネルのリソースは、送信予定のアップリンク制御チャネルにより占有される物理リソースの符号分割多重化能力に基づいて、アップリンク制御チャネルにより占有される物理リソースを決定することによって正確に決定され得る。
【００２１】
幾つかの考えられる実装において、方法は更に、ネットワークデバイスが物理リソースの第１リソースインデックスを取得する段階と、ネットワークデバイスがアップリンク制御チャネルのシンボル数および／またはシンボル位置を取得する段階とを更に備え、ネットワークデバイスが、端末デバイスにより送信される予定のアップリンク制御チャネルによって占有される物理リソースの符号分割多重化能力に基づいて物理リソースを決定する段階は、ネットワークデバイスが、第１リソースインデックス、符号分割多重化能力、並びに、アップリンク制御チャネルのシンボル数および／またはシンボル位置に基づいて物理リソースを決定する段階を含む。
【００２２】
アップリンク制御チャネルにより占有される物理リソースの第１リソースインデックスは、上位層シグナリングを使用してネットワークデバイスにより半静的に構成されてもよいし、動的シグナリングを使用して通知されてもよい。アップリンク制御チャネルのシンボル数および／またはシンボル位置は、上位層シグナリングを使用してネットワークデバイスにより半静的に構成されてもよいし、動的シグナリングを使用して通知されてもよい。
【００２３】
幾つかの考えられる実装において、ネットワークデバイスが第１リソースインデックス、符号分割多重化能力、並びに、アップリンク制御チャネルのシンボル数および／またはシンボル位置に基づいて物理リソースを決定する段階は具体的に、ネットワークデバイスが物理リソースの符号分割多重化能力に基づいて、物理リソース内のユニットリソースに多重化され得る端末デバイスの数を決定する段階と、ネットワークデバイスが、第１リソースインデックスを、ユニットリソースに多重化され得る端末デバイスの数で割ったときの商を取得することにより、周波数領域における物理リソースの第２リソースインデックスを決定する段階と、ネットワークデバイスが、第１リソースインデックスを、ユニットリソースに多重化され得る端末デバイスの数で割って剰余を取得することにより符号領域における物理リソースの第３リソースインデックスを決定する段階と、ネットワークデバイスが、アップリンク制御チャネルのシンボル数および／またはシンボル位置に基づいて時間領域における物理リソースの第４リソースインデックスを決定する段階とを含む。
【００２４】
幾つかの考えられる実装において、符号分割多重化能力がある構成に基づいていることは、符号分割多重化能力が時間領域でアップリンク制御チャネルにより占有されるシンボルの数に基づいて構成されていることを含む。
【００２５】
幾つかの考えられる実装において、方法は更に、ネットワークデバイスが第１指示情報を送信する段階を含み、符号分割多重化能力がある構成に基づいていることは、符号分割多重化能力が第１指示情報に基づいて構成されていることを含む。
【００２６】
幾つかの考えられる実装において、方法は更に、ネットワークデバイスが第２指示情報を送信する段階を含む。ここで、第２指示情報は、アップリンク制御チャネルのシンボル数および／またはシンボル位置を示すために使用される。
【００２７】
幾つかの考えられる実装において、第２指示情報は、ある集合におけるアップリンク制御チャネルのシンボル数および／またはシンボル位置のインデックスを含み、当該集合は、上位層シグナリングを使用してネットワークデバイスにより構成される。
【００２８】
幾つかの考えられる実装では、集合における複数の異なるシンボル数および／またはシンボル位置によりサポートされ得る最大符号分割多重化能力が同じであるか、集合における複数の異なるシンボル数および／またはシンボル位置に対応するスロットタイプが同じである。
【００２９】
幾つかの考えられる実装において、時間領域でアップリンク制御チャネルにより占有されるシンボルの数は４から１４であり、符号分割方式で物理リソース内のユニットリソースに多重化され得る端末デバイスの数は、符号分割方式で物理リソース内のユニットリソースに多重化されない対応する端末デバイスの数の１倍、２倍または３倍である。
【００３０】
第３態様によれば、端末デバイスが提供される。ここで、端末デバイスは、第１態様または第１態様の上述の考えられる実装の何れか１つにおける方法を実装するように構成される。
【００３１】
具体的に言うと、端末デバイスは、第１態様または第１態様の考えられる実装の何れか１つにおける方法を実行するように構成されているユニットを含み得る。
【００３２】
第４態様によれば、ネットワークデバイスが提供される。ここで、ネットワークデバイスは、第２態様または第２態様の上述の考えられる実装の何れか１つにおける方法を実装するように構成される。
【００３３】
具体的に言うと、ネットワークデバイスは、第２態様または第２態様の考えられる実装の何れか１つにおける方法を実行するように構成されているユニットを含み得る。
【００３４】
第５態様によれば、プロセッサと、送受信機と、メモリとを含む端末デバイスが提供される。ここで、プロセッサ、送受信機およびメモリは、内部接続チャネルを使用して互いに通信し、メモリは、命令を記憶するように構成され、プロセッサは、メモリに記憶された命令を実行するように構成される。ここで、メモリに記憶された命令の実行によって、端末デバイスは、第１態様または第１態様の考えられる実装の何れか１つにおける方法を実行することができる。
【００３５】
第６態様によれば、プロセッサと、送受信機と、メモリと、バスシステムとを含むネットワークデバイスが提供される。ここで、プロセッサ、送受信機およびメモリは、内部接続チャネルを使用して互いに通信し、メモリは、命令を記憶するように構成され、プロセッサは、メモリに記憶された命令を実行するように構成される。ここでは、メモリに記憶された命令の実行によって、ネットワークデバイスが、第２態様または第２態様の考えられる実装の何れか１つにおける方法を実行することができる。
【００３６】
第７態様によれば、コンピュータ可読記憶媒体が提供される。ここで、コンピュータ可読記憶媒体はプログラムを記憶し、当該プログラムによって、端末デバイスは、第１態様または第１態様の考えられる実装の何れか１つにおける方法を実行することができる。
【００３７】
第８態様によれば、コンピュータ可読記憶媒体が提供される。ここで、コンピュータ可読記憶媒体はプログラムを記憶し、当該プログラムによって、ネットワークデバイスが、第２態様または第２態様の考えられる実装の何れか１つにおける方法を実行することができる。
【図面の簡単な説明】
【００３８】
【図１】本発明のある実施形態に係る通信方法の概略フローチャートである。
【００３９】
【図２】本発明のある実施形態に係るアップリンク制御チャネルの概略分布図である。
【００４０】
【図３】本発明のある実施形態に係るアップリンク制御チャネルのシンボルの概略分布図である。
【００４１】
【図４】本発明の別の実施形態に係るアップリンク制御チャネルのシンボルの概略分布図である。
【００４２】
【図５】本発明の別の実施形態に係るアップリンク制御チャネルのシンボルの概略分布図である。
【００４３】
【図６】本発明の別の実施形態に係るアップリンク制御チャネルのシンボルの概略分布図である。
【００４４】
【図７】本発明のある実施形態に係る端末デバイスの概略構造図である。
【００４５】
【図８】本発明の別の実施形態に係る端末デバイスの概略構造図である。
【００４６】
【図９】本発明のある実施形態に係るネットワークデバイスの概略構造図である。
【００４７】
【図１０】本発明の別の実施形態に係るネットワークデバイスの概略構造図である。
【発明を実施するための形態】
【００４８】
以下では、添付図面を参照しながら本願の技術的解決策について説明する。
【００４９】
複数の異なる通信システムにおいて、本発明の実施形態には複数の異なるネットワークデバイスが存在し得る。例えば、ネットワークデバイスは、基地局コントローラ（Ｂａｓｅ  Ｓｔａｔｉｏｎ  Ｃｏｎｔｒｏｌｌｅｒ、ＢＳＣ）、無線ネットワークコントローラ（Ｒａｄｉｏ  Ｎｅｔｗｏｒｋ  Ｃｏｎｔｒｏｌｌｅｒ、ＲＮＣ）、ＬＴＥシステムの進化型ノードＢ（ｅｖｏｌｖｅｄ  ＮｏｄｅＢ、ｅＮＢまたはｅ−ＮｏｄｅＢ）、ＷＣＤＭＡ（登録商標）システムのノードＢ（ＮｏｄｅＢ）または５Ｇシステムの基地局ｇＮＢであってよい。
【００５０】
本発明の実施形態において、端末デバイスは、ユーザ機器（Ｕｓｅｒ  Ｅｑｕｉｐｍｅｎｔ、ＵＥ）、移動局（Ｍｏｂｉｌｅ  Ｓｔａｔｉｏｎ、ＭＳ）または移動端末（Ｍｏｂｉｌｅ  Ｔｅｒｍｉｎａｌ）などと称されてもよいことを理解されたい。端末デバイスは、無線アクセスネットワーク（Ｒａｄｉｏ  Ａｃｃｅｓｓ  Ｎｅｔｗｏｒｋ、ＲＡＮ）を使用して１つまたは複数のコアネットワークと通信し得る。例えば、端末デバイスは、移動電話（または「携帯」電話と称される）、または、通信機能を有するコンピュータであってよい。例えば、端末デバイスは、携帯用、ポケットサイズ、ハンドヘルド、コンピュータ内蔵型または車載型の移動装置であってもよい。
【００５１】
なお、１つのスロットにおいてアップリンク制御チャネルにより占有されるＮ個のシンボルの位置は限定されない。例えば、ＵＬ−ｏｎｌｙスロットにおいて、物理アップリンク制御チャネルが全てのシンボルを占有してもよいし、物理アップリンク制御チャネルが１番目のシンボルからｎ番目のシンボルを占有してもよく、ｎは、１より大きく、１４より小さいかそれに等しい整数である。ＵＬ−ｃｅｎｔｒｉｃスロットが１つのダウンリンクシンボルおよび１つのガード期間（ｇｕａｒｄ  ｐｅｒｉｏｄ、ＧＰ）を含んでもよいし、２つのダウンリンクシンボルおよび１つのＧＰを含んでもよい。従って、ＵＬ−ｃｅｎｔｒｉｃスロットでは、物理アップリンク制御チャネルが３番目のシンボルからｍ１番目のシンボルを占有してもよいし、４番目のシンボルからｍ２番目のシンボルを占有してもよい。ここで、ｍ１は３より大きく、１４より小さいかそれに等しい整数であり、ｍ２は４より大きく、１４より小さいかそれに等しい整数である。
【００５２】
本発明の実施形態におけるアップリンク制御チャネルは、５Ｇシステムにおけるｌｏｎｇ  ＰＵＣＣＨであってもよいし、将来の通信システムにおける別のアップリンク制御チャネルであってもよい。これは、本発明の実施形態において限定されない。本発明の実施形態におけるシンボルは、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルであってもよいし、離散フーリエ変換拡散直交周波数分割多重化（ＤＦＴ  ｓｐｒｅａｄ  ＯＦＤＭ、ＤＦＴ−ｓ−ＯＦＤＭ）シンボルであってもよいし、将来の通信システムにおける別のシンボルであってもよい。これは、本発明の実施形態において限定されない。本発明の実施形態におけるシンボルは時間単位である。例えば、サブキャリア間隔が１５ｋＨｚのシステムは、シンボル長が１／１５０００秒である。
【００５３】
図１は、本発明のある実施形態に係る通信方法を示している。図１に示すように、方法１００には以下の内容が含まれる。
【００５４】
１１０：端末デバイスが、送信予定のアップリンク制御チャネルにより占有される物理リソースの符号分割多重化能力を取得する。符号分割多重化能力は、符号分割方式で物理リソース内のユニットリソースに多重化され得る端末デバイスの数である。符号分割多重化能力は、ある構成に基づいている。
【００５５】
具体的に言うと、符号分割多重化能力は、動的または半静的に変化し得る。例えば、符号分割多重化能力は、ネットワークにアクセスする端末デバイスの数に応じて変化してもよいし、ネットワーク環境に応じて変化してもよいし、周期的に変化してもよいし、定期的に変化してもよい。これは、本発明のこの実施形態において限定されない。例えば、符号分割多重化能力は周期的に変化する。ある期間において、端末デバイスがアップリンク制御チャネルを送信するための物理リソースに対応する符号分割多重化能力とは、２つの端末デバイスが多重化され得ることである。次の期間において、端末デバイスによるアップリンク制御チャネルの送信に対応する符号分割多重化能力とは、３つの端末デバイスが多重化され得ることである。
【００５６】
この実施形態における符号分割多重化能力は、時間領域における複数の異なるシンボルに直交カバーコード（Ｏｒｔｈｏｇｏｎａｌ  Ｃｏｖｅｒ  Ｃｏｄｅ、ＯＣＣ）を重ね合わせることにより実装されてもよいし、別の方式で実装されてもよい。例えば、図２に示すように、アップリンク制御チャネルはｌｏｎｇ  ＰＵＣＣＨであり、ｌｏｎｇ  ＰＵＣＣＨは１２個のシンボルを占有してよく、周波数ホッピングが可能となる。各周波数ホッピング部は６個のシンボルを含み、６個のシンボルは３個の基準信号シンボルおよび３個のデータシンボルを含む。長さ３のＯＣＣが３個の基準信号シンボルおよび３個のデータシンボル上に別々に構成されることにより、符号分割方式でアップリンク制御チャネルに多重化され得る端末デバイスの数が３になる。
【００５７】
１２０：端末デバイスは、符号分割多重化能力に基づいて、アップリンク制御チャネルにより占有される物理リソースを決定する。
【００５８】
物理リソースは、時間領域リソース、周波数領域リソースおよび／または符号領域リソースを含み得る。時間領域におけるアップリンク制御チャネルの物理リソースの基本単位は、１個のシンボルであってよい。例えば、アップリンク制御チャネルは、４個から１４個のシンボルを占有し得る。アップリンク制御チャネルの物理リソースは周波数領域のリソースブロック（ｒｅｓｏｕｒｃｅ  ｂｌｏｃｋ、ＲＢ）を１つまたは複数含んでよく、１つのＲＢは１２個のサブキャリアを含んでよい。アップリンク制御チャネルの物理リソースは、符号領域の符号語を１つまたは複数占有し得る。
【００５９】
１３０：端末デバイスは、アップリンク制御チャネルの物理リソース上でアップリンク制御情報を送信する。それに応じて、ネットワークデバイスが、アップリンク制御チャネルにより占有される物理リソース上でアップリンク制御情報を受信する。ネットワークデバイスは、アップリンク制御チャネルの物理リソース内のユニットリソースの符号分割多重化能力に基づいて、アップリンク制御チャネルにより占有される物理リソースを決定してもよいことを理解されたい。
【００６０】
アップリンク制御情報は、アップリンク制御チャネルに対応する物理リソースを使用して送信され、送信予定のアップリンク制御チャネルは、送信予定のアップリンク制御情報に対応するアップリンク制御チャネルである。
【００６１】
本発明のこの実施形態において、アップリンク制御チャネルの長さが固定されていないとき、アップリンク制御チャネルのリソースは、送信予定のアップリンク制御チャネルにより占有される物理リソースの符号分割多重化能力に基づいて、アップリンク制御チャネルにより占有される物理リソースを決定することによって正確に決定され得る。
【００６２】
オプションとして、方法１００は更に、端末デバイスが、アップリンク制御チャネルにより占有される物理リソースの第１リソースインデックスを取得する段階と、端末デバイスが、アップリンク制御チャネルのシンボル数および／またはシンボル位置を取得する段階とを含み得る。
【００６３】
それに応じて、段階１２０は、端末デバイスが第１リソースインデックス、符号分割多重化能力、並びに、アップリンク制御チャネルのシンボル数および／またはシンボル位置に基づいて、アップリンク制御チャネルにより占有される物理リソースを決定する段階を含む。
【００６４】
アップリンク制御チャネルにより占有される物理リソースの第１リソースインデックスは、上位層シグナリングを使用してネットワークデバイスにより半静的に構成されてもよいし、動的シグナリングを使用して通知されてもよい。例えば、アップリンク制御チャネルにより占有される物理リソースの第１リソースインデックスは、上位層シグナリングまたは動的シグナリングを使用してネットワークデバイスにより構成されているシーケンス番号である。ネットワークデバイスおよび端末デバイスは、第１リソースインデックスに基づいて、アップリンク制御チャネルを伝送するための対応する物理リソースを一意に決定し得る。
【００６５】
アップリンク制御チャネルのシンボル数および／またはシンボル位置は、上位層シグナリングを使用してネットワークデバイスにより半静的に構成されてもよいし、動的シグナリングを使用して通知されてもよい。
【００６６】
オプションとして、段階１２０において、端末デバイスが第１リソースインデックス、符号分割多重化能力、並びに、アップリンク制御チャネルのシンボル数および／またはシンボル位置に基づいて、アップリンク制御チャネルにより占有される物理リソースを決定する段階は具体的に、端末デバイスが、送信予定のアップリンク制御チャネルにより占有される物理リソースの符号分割多重化能力に基づいて、物理リソース内のユニットリソースに多重化され得る端末デバイスの数を決定する段階と、端末デバイスが、第１リソースインデックスを、ユニットリソースに多重化され得る端末デバイスの数で割ったときの商を取得することにより、周波数領域における物理リソースの第２リソースインデックスを決定する段階と、端末デバイスが、第１リソースインデックスを、ユニットリソースに多重化され得る端末デバイスの数で割って剰余を取得することにより符号領域における物理リソースの第３リソースインデックスを決定する段階であって、周波数領域における物理リソースのインデックスリソースと符号領域における物理リソースのインデックスリソースとをそれぞれ決定した後、端末デバイスは物理リソースを決定し得る、段階と、端末デバイスがアップリンク制御チャネルのシンボル数および／またはシンボル位置に基づいて時間領域における物理リソースの第４リソースインデックスを決定する段階とを含む。
【００６７】
このようにして、端末デバイスはアップリンク制御チャネルの物理リソースを決定し得る。
【００６８】
なお代替的に、端末デバイスは、テーブルルックアップ方法を使用することにより、第１リソースインデックスに基づいて周波数領域における物理リソースの第２リソースインデックスと符号領域における物理リソースの第３リソースインデックスとを直接決定し得る。例えば、端末デバイスは、第１リソースインデックスと第２リソースインデックスおよび第３リソースインデックスの各々との対応関係を予め記憶し得る。例えば、第１リソースインデックスが５０である場合は、インデックスは、第２リソースインデックスが２であり、第３リソースインデックスが１３である場合に直接対応する。第１リソースインデックスが５１である場合は、インデックスは、第２リソースインデックスが２であり、第３リソースインデックスが１４である場合に直接対応する。
【００６９】
アップリンク制御チャネルにより占有される物理リソースを決定するためにネットワークデバイスが使用する方法は、端末デバイスの上述の方法と同じであり、詳細についてはここで改めて説明しないことを理解されたい。
【００７０】
なお、ユニットリソース上では、符号分割多重化方式で多重化を実行することに加えて、複数の端末デバイスが、周波数領域における複数の異なる巡回シフトを使用して多重化を実行し得る。従って、ユニットリソースに多重化され得る端末デバイスの数は、ユニットリソース上で符号分割多重化方式を使用し、かつ、周波数領域における複数の異なる巡回シフトによりサポートされる端末デバイスの数である。
【００７１】
例えば、ユニットリソース上では、周波数領域における複数の異なる巡回シフトによりサポートされる端末デバイスの数が６であり、多重化され得る端末デバイスの数が３である。この場合は、ユニットリソースに多重化され得る端末デバイスの数は１８である。
【００７２】
ネットワークデバイスにより構成されている第１リソースインデックスが５０であるとき、第２リソースインデックスは、５０を１８で割ったときの商２であり（開始インデックスが０であるときに第２リソースインデックスが２であるか、開始インデックスが１であるときに第２リソースインデックスが３であり）、第３リソースインデックスは、５０を１８で割って得られる剰余１４である（開始インデックスが０であるときに第３リソースインデックスが１３であるか、開始インデックスが１であるときに対応する第２リソースインデックスが１４である）。
【００７３】
オプションとして、アップリンク制御チャネルにより占有される物理リソースの符号分割多重化能力がある構成に基づいていることは、アップリンク制御チャネルにより占有される物理リソースの符号分割多重化能力が、時間領域でアップリンク制御チャネルにより占有されるシンボルの数に基づいて構成されていることを含む。例えば、符号分割多重化能力と時間領域でアップリンク制御チャネルにより占有されるシンボルの数との対応関係が事前定義または事前構成され得る。例えば、４個から７個のシンボルに対応する符号分割多重化能力が１人のユーザまたは２人のユーザであり、８個から１４個のシンボルに対応する符号分割多重化能力が２人のユーザまたは３人のユーザである。
【００７４】
このように、端末デバイスは、時間領域でアップリンク制御チャネルにより占有されるシンボルの数と当該対応関係とに基づいて符号分割多重化能力を決定し得る。
【００７５】
オプションとして、方法１００は更に、ネットワークデバイスが第１指示情報を送信する段階を含み得る。それに応じて、アップリンク制御チャネルにより占有される物理リソースの符号分割多重化能力がある構成に基づいていることは、アップリンク制御チャネルにより占有される物理リソースの符号分割多重化能力が第１指示情報に基づいて構成されていることを含む。例えば、第１指示情報は、符号分割多重化能力を示すために使用される。それに応じて、端末デバイスは第１指示情報を受信する。端末デバイスは、第１指示情報に基づいて符号分割多重化能力を取得し得る。
【００７６】
第１指示情報は、上位層シグナリングまたはシステム情報で搬送され得る。上位層シグナリングは、無線リソース制御（Ｒａｄｉｏ  Ｒｅｓｏｕｒｃｅ  Ｃｏｎｔｒｏｌ、ＲＲＣ）などであってよく、システム情報は、マスター情報ブロック（Ｍａｓｔｅｒ  Ｉｎｆｏｒｍａｔｉｏｎ  Ｂｌｏｃｋ、ＭＩＢ）またはシステム情報ブロック（Ｓｙｓｔｅｍ  Ｉｎｆｏｒｍａｔｉｏｎ  Ｂｌｏｃｋ、ＳＩＢ）などであってよい。
【００７７】
つまり、符号分割多重化能力は代替的に、ネットワークデバイスにより構成され得る。
【００７８】
オプションとして、方法１００は更に、ネットワークデバイスが第２指示情報を送信する段階を含み得る。ここで、第２指示情報は、時間領域におけるアップリンク制御チャネルのシンボル数および／またはシンボル位置を示すために使用される。端末デバイスは第２指示情報を受信する。
【００７９】
時間領域におけるアップリンク制御チャネルのシンボル位置は、時間領域でアップリンク制御チャネルにより占有される全てのシンボルの位置であってもよいし、時間領域でアップリンク制御チャネルにより占有されるシンボル内の事前設定されたシンボル（開始シンボルまたは終了シンボルなど）の位置であってもよい。
【００８０】
幾つかの実施形態において、第２指示情報は、時間領域でアップリンク制御チャネルにより占有されるシンボルの数を示すために使用される。アップリンク制御チャネルのシンボル位置（開始位置または終了位置など）は、事前定義または事前構成されてよく、端末デバイスは、第２指示情報により示されるシンボルの数に基づいてアップリンク制御チャネルの時間領域リソースを決定してよい。
【００８１】
幾つかの実施形態において、第２指示情報は、時間領域でアップリンク制御チャネルにより占有される全てのシンボルのシンボル位置を示すために使用される。端末デバイスは、第２指示情報により示される、当該全てのシンボルのシンボル位置に基づいてアップリンク制御チャネルの時間領域リソースを決定し得る。
【００８２】
幾つかの実施形態において、第２指示情報は、時間領域におけるアップリンク制御チャネルのシンボル数および／またはシンボル位置を示すために使用される。ここで、シンボル位置は、時間領域でアップリンク制御チャネルにより占有されるシンボル内の事前設定されたシンボルの位置である。端末デバイスは、第２指示情報により示されるシンボル数および／またはシンボル位置に基づいてアップリンク制御チャネルの時間領域リソースを決定し得る。
【００８３】
オプションとして、第２指示情報は、ある集合におけるアップリンク制御チャネルのシンボル数および／またはシンボル位置のインデックスを含み、当該集合は、上位層シグナリングを使用してネットワークデバイスにより構成される。
【００８４】
具体的に言うと、集合がアップリンク制御チャネルの複数のシンボル数を含んでもよいし、集合がアップリンク制御チャネルの複数のシンボル位置を含んでもよいし、集合がアップリンク制御チャネルの複数のシンボル数とシンボル位置との組み合わせを含んでもよい。
【００８５】
なお、第１指示情報および第２指示情報は、別々に送信されてもよいし、同時に送信されてもよい。例えば、第１指示情報および第２指示情報は、異なる上位層シグナリングまたは構成情報で搬送されてもよいし、同じ上位層シグナリングまたは構成情報の異なるフィールドで搬送されてもよい。
【００８６】
オプションとして、ネットワークデバイスは更に、第３指示情報を送信し得る。ここで、第３指示情報は、集合を示すために使用される。第３指示情報は上位層シグナリングで搬送され得る。
【００８７】
オプションとして、集合におけるシンボル数および／またはシンボル位置によりサポートされ得る最大符号分割多重化能力が同じであるか、集合におけるシンボル数および／またはシンボル位置に対応するスロットタイプが同じである。
【００８８】
図３から図６を参照しながら、以下では、あるスロットにおけるアップリンク制御チャネルのシンボルの分布を説明用の例として使用する。
【００８９】
集合におけるシンボル数によりサポートされ得る最大符号分割多重化能力が同じである場合は、集合におけるシンボル数が｛４、５、６、７｝であってよく、つまり、４個から７個のシンボルがグループ化されて１つのグループになり、集合におけるシンボル数は、１×符号分割多重化能力をサポートする。図３に示すように、長さが７個のシンボルであるスロットにおいて、アップリンク制御チャネルは、４個から７個のシンボルを占有する。オプションとして、集合におけるシンボル数および／またはシンボル位置の間には対応関係がある。例えば、（図３のグループ１に示すように）シンボル数４または５に対応する、アップリンク制御チャネルの開始位置がスロットにおける３番目のシンボルであってもよいし、（図３のグループ２に示すように）シンボル数５、６または７に対応する、アップリンク制御チャネルの開始位置が１番目のシンボルであってもよい。
【００９０】
代替的に、集合におけるシンボル数によりサポートされ得る最大符号分割多重化能力が同じである場合は、集合は｛８、９、１０、１１｝であってよく、つまり、８個から１１個のシンボルがグループ化されて１つのグループになり、集合におけるシンボル数は、２×符号分割多重化能力をサポートする。図４に示すように、長さが１４個のシンボルであるスロットにおいて、アップリンク制御チャネルは、８個から１１個のシンボルを占有する。オプションとして、集合におけるシンボル数および／またはシンボル位置の間には対応関係がある。例えば、シンボル数８、９、１０または１１に対応する、アップリンク制御チャネルの開始位置がスロットにおける４番目のシンボルであるか、シンボル数１０または１１に対応する、アップリンク制御チャネルの開始位置がスロットにおける３番目のシンボルであってよい。
【００９１】
代替的に、集合におけるシンボル数によりサポートされ得る最大符号分割多重化能力が同じである場合は、集合におけるシンボル数が｛１２、１３、１４｝であってよく、つまり、１２個から１４個のシンボルがグループ化されて１つのグループになり、集合におけるシンボル数は、３×符号分割多重化能力をサポートする。図４に示すように、長さが１４個のシンボルであるスロットにおいて、アップリンク制御チャネルは、１２個から１４個のシンボルを占有する。オプションとして、集合におけるシンボル数および／またはシンボル位置の間には対応関係がある。例えば、シンボル数１２、１３または１４に対応する開始位置がスロットにおける１番目のシンボルであるか、シンボル数１２に対応する開始位置がスロットにおける３番目のシンボルであってよい。
【００９２】
集合におけるシンボル数に対応するスロットタイプが同じである場合は、集合におけるシンボル数が｛４、５｝であってよく、つまり、４個または５個のシンボルがグループ化されて１つのグループになり、集合におけるシンボル数に対応するスロットタイプは、アップリンク中心スロット（ＵＬ−Ｃｅｎｔｒｉｃ）である。図５に示すように、長さが７個のシンボルであるスロットにおいて、アップリンク制御チャネルは、４個または５個のシンボルを占有する。オプションとして、集合におけるシンボル数および／またはシンボル位置の間には対応関係がある。例えば、シンボル数４または５に対応する、アップリンク制御チャネルの開始位置がスロットにおける３番目のシンボルである。
【００９３】
代替的に、集合におけるシンボル数に対応するスロットタイプが同じである場合は、集合におけるシンボル数が｛５、６、７｝であってよく、つまり、５個から７個のシンボルがグループ化されて１つのグループになり、集合におけるシンボル数に対応するスロットタイプは、アップリンク専用スロット（ＵＬ−Ｏｎｌｙ）である。図５に示すように、長さが７個のシンボルであるスロットにおいて、アップリンク制御チャネルは、５個から７個のシンボルを占有する。オプションとして、集合におけるシンボル数および／またはシンボル位置の間には対応関係がある。例えば、シンボル数５、６または７に対応する、アップリンク制御チャネルの開始位置がスロットにおける１番目のシンボルである。
【００９４】
代替的に、集合におけるシンボル数に対応するスロットタイプが同じである場合は、集合におけるシンボル数が｛８、９、１０、１１、１２｝であってよく、つまり、８個から１２個のシンボルがグループ化されて１つのグループになり、集合におけるシンボル数に対応するスロットタイプは、アップリンク中心スロット（ＵＬ−Ｃｅｎｔｒｉｃ）である。図６に示すように、長さが１４個のシンボルであるスロットにおいて、アップリンク制御チャネルは、８個から１２個のシンボルを占有する。オプションとして、集合におけるシンボル数および／またはシンボル位置の間には対応関係がある。例えば、シンボル数８、９、１０または１１に対応する開始位置がスロットにおける４番目のシンボルであるか、シンボル数１０、１１または１２に対応する、アップリンク制御チャネルの開始位置がスロットにおける３番目のシンボルであってよい。
【００９５】
代替的に、集合におけるシンボル数に対応するスロットタイプが同じである場合は、集合におけるシンボル数が｛１２、１３、１４｝であってよく、つまり、１２個から１４個のシンボルがグループ化されて１つのグループになり、集合におけるシンボル数に対応するスロットタイプは、アップリンク専用スロット（ＵＬ−Ｏｎｌｙ）である。図６に示すように、長さが１４個のシンボルであるスロットにおいて、アップリンク制御チャネルは、１２個から１４個のシンボルを占有する。オプションとして、集合におけるシンボル数および／またはシンボル位置の間には対応関係がある。例えば、シンボル数１２、１３または１４に対応する、アップリンク制御チャネルの開始位置がスロットにおける１番目のシンボルである。
【００９６】
図３から図６において、アップリンク制御チャネルは、制御情報および基準信号を含む。周波数ホッピング位置より前のシンボルの部分が同じ周波数領域リソースを占有し、周波数ホッピング位置より後のシンボルの部分が同じ周波数領域リソースを占有し、周波数ホッピング位置の前後の２つの部分は異なる周波数領域リソースを占有する。
【００９７】
図３から図６において、Ｕは短いＰＵＣＣＨまたはサウンディング基準信号（Ｓｏｕｎｄｉｎｇ  Ｒｅｆｅｒｅｎｃｅ  Ｓｉｇｎａｌ、ＳＲＳ）により占有されるシンボルを示し、Ｄはダウンリンク制御チャネルにより占有されるシンボルを示し、Ｇはガード期間を示す。
【００９８】
オプションとして、時間領域でアップリンク制御チャネルにより占有されるシンボルの数は４から１４であり、符号分割方式で物理リソース内のユニットリソースに多重化され得る端末デバイスの数は、符号分割方式で物理リソース内のユニットリソースに多重化されない対応する端末デバイスの数の１倍、２倍または３倍である。
【００９９】
上述では、本発明の実施形態に係る通信方法について説明した。以下では、図７から図１０を参照しながら本発明の実施形態に係る端末デバイスおよびネットワークデバイスについて説明する。
【０１００】
図７は、本発明のある実施形態に係る端末デバイス７００の概略構造図である。図７に示すように、端末デバイス７００は処理ユニット７１０および送受信ユニット７２０を含む。
【０１０１】
処理ユニット７１０は、送信予定のアップリンク制御チャネルにより占有される物理リソースの符号分割多重化能力を取得するように構成される。ここで、符号分割多重化能力は、符号分割方式で物理リソース内のユニットリソースに多重化され得る端末デバイスの数であり、符号分割多重化能力はある構成に基づいている。
【０１０２】
処理ユニット７１０は更に、符号分割多重化能力に基づいて物理リソースを決定するように構成される。
【０１０３】
送受信ユニット７２０は、処理ユニット７１０により決定された物理リソース上でアップリンク制御情報を送信するように構成される。
【０１０４】
本発明のこの実施形態において、アップリンク制御チャネルのリソースは、送信予定のアップリンク制御チャネルにより占有される物理リソースの符号分割多重化能力に基づいて、アップリンク制御チャネルにより占有される物理リソースを決定することによって正確に決定され得る。
【０１０５】
オプションとして、処理ユニット７１０は更に、物理リソースの第１リソースインデックスを取得し、アップリンク制御チャネルのシンボル数および／またはシンボル位置を取得するように構成される。それに応じて、処理ユニット７１０は具体的に、第１リソースインデックス、符号分割多重化能力、並びに、アップリンク制御チャネルのシンボル数および／またはシンボル位置に基づいて物理リソースを決定するように構成される。
【０１０６】
オプションとして、処理ユニット７１０は具体的に、物理リソースの符号分割多重化能力に基づいて、物理リソース内のユニットリソースに多重化され得る端末デバイスの数を決定し、第１リソースインデックスを、ユニットリソースに多重化され得る端末デバイスの数で割ったときの商を取得することにより、周波数領域における物理リソースの第２リソースインデックスを決定し、第１リソースインデックスを、ユニットリソースに多重化され得る端末デバイスの数で割って剰余を取得することにより符号領域における物理リソースの第３リソースインデックスを決定し、アップリンク制御チャネルのシンボル数および／またはシンボル位置に基づいて時間領域における物理リソースの第４リソースインデックスを決定するように構成される。
【０１０７】
オプションとして、送受信ユニット７２０は更に、ネットワークデバイスにより送信された第１指示情報を受信するように構成される。それに応じて、アップリンク制御チャネルにより占有される物理リソースの符号分割多重化能力がある構成に基づいていることは、アップリンク制御チャネルにより占有される物理リソースの符号分割多重化能力が第１指示情報に基づいて構成されていることを含む。例えば、第１指示情報は、符号分割多重化能力を示すために使用される。
【０１０８】
オプションとして、送受信ユニット７２０は更に、ネットワークデバイスにより送信された第２指示情報を受信するように構成される。ここで、第２指示情報は、アップリンク制御チャネルのシンボル数および／またはシンボル位置を示すために使用される。
【０１０９】
本発明のこの実施形態における端末デバイス７００は、本発明のこの実施形態における通信方法での端末デバイスに対応し得ることを理解されたい。加えて、端末デバイス７００におけるユニットの上述および他の動作および／または機能は、図１に示す方法の対応する手順をそれぞれ実装することを意図している。簡潔にするため、詳細についてはここで説明しない。
【０１１０】
図８は、本発明の別の実施形態に係る端末デバイス８００の概略構造図である。図８に示すように、端末デバイス８００はプロセッサ８１０、送受信機８２０およびメモリ８３０を含む。プロセッサ８１０、送受信機８２０およびメモリ８３０は、内部接続チャネルを使用して互いに通信し、制御信号および／またはデータ信号を転送する。メモリ８３０は、命令を記憶するように構成され、プロセッサ８１０は、メモリ８３０に記憶された命令を実行するように構成される。送受信機８２０は、プロセッサ８１０の制御下で信号を受信するように構成される。
【０１１１】
具体的に言うと、送受信機８２０は、図７に示す端末デバイス７００における送受信ユニット７２０の機能を実装するように構成される。プロセッサ８１０は、図７に示す端末デバイス７００における処理ユニット７１０の機能を実装するように構成される。簡潔にするため、詳細についてはここで説明しない。
【０１１２】
本発明のこの実施形態における端末デバイス８００は、本発明のこの実施形態における通信方法での端末デバイス、および、本発明のこの実施形態における端末デバイス７００に対応し得ることを理解されたい。加えて、端末デバイス８００におけるユニットの上述および他の動作および／または機能は、図１に示す方法の対応する手順をそれぞれ実装することを意図している。簡潔にするため、詳細についてはここで説明しない。
【０１１３】
図９は、本発明のある実施形態に係るネットワークデバイス９００の概略構造図である。図９に示すように、ネットワークデバイス９００は、処理ユニット９１０および送受信ユニット９２０を含み得る。
【０１１４】
処理ユニット９１０は、端末デバイスにより送信される予定のアップリンク制御チャネルによって占有される物理リソースの符号分割多重化能力に基づいて物理リソースを決定するように構成される。ここで、符号分割多重化能力は、符号分割方式で物理リソース内のユニットリソースに多重化され得る端末デバイスの数であり、符号分割多重化能力はある構成に基づいている。
【０１１５】
送受信ユニット９２０は、処理ユニット９１０により決定された物理リソース上で、端末デバイスにより送信されたアップリンク制御情報を受信するように構成される。
【０１１６】
本発明のこの実施形態において、アップリンク制御チャネルのリソースは、送信予定のアップリンク制御チャネルにより占有される物理リソースの符号分割多重化能力に基づいて、アップリンク制御チャネルにより占有される物理リソースを決定することによって正確に決定され得る。
【０１１７】
オプションとして、処理ユニット９１０は更に、物理リソースの第１リソースインデックスを取得し、アップリンク制御チャネルのシンボル数および／またはシンボル位置を取得するように構成される。それに応じて、処理ユニット９１０は具体的に、第１リソースインデックス、符号分割多重化能力、並びに、アップリンク制御チャネルのシンボル数および／またはシンボル位置に基づいて物理リソースを決定するように構成される。
【０１１８】
オプションとして、処理ユニット９１０は具体的に、物理リソースの符号分割多重化能力に基づいて、物理リソース内のユニットリソースに多重化され得る端末デバイスの数を決定し、第１リソースインデックスを、ユニットリソースに多重化され得る端末デバイスの数で割ったときの商を取得することにより、周波数領域における物理リソースの第２リソースインデックスを決定し、第１リソースインデックスを、ユニットリソースに多重化され得る端末デバイスの数で割って剰余を取得することにより符号領域における物理リソースの第３リソースインデックスを決定し、アップリンク制御チャネルのシンボル数および／またはシンボル位置に基づいて時間領域における物理リソースの第４リソースインデックスを決定するように構成される。
【０１１９】
オプションとして、送受信ユニット９２０は更に、第１指示情報を送信するように構成される。それに応じて、アップリンク制御チャネルにより占有される物理リソースの符号分割多重化能力がある構成に基づいていることは、アップリンク制御チャネルにより占有される物理リソースの符号分割多重化能力が第１指示情報に基づいて構成されていることを含む。
【０１２０】
例えば、第１指示情報は、符号分割多重化能力を示すために使用される。
【０１２１】
オプションとして、送受信ユニット９２０は更に、第２指示情報を送信するように構成される。ここで、第２指示情報は、アップリンク制御チャネルのシンボル数および／またはシンボル位置を示すために使用される。
【０１２２】
本発明のこの実施形態におけるネットワークデバイス９００は、本発明のこの実施形態における通信方法でのネットワークデバイスに対応し得ることを理解されたい。加えて、ネットワークデバイス９００におけるユニットの上述および他の動作および／または機能は、図１に示す方法の対応する手順をそれぞれ実装することを意図している。簡潔にするため、詳細についてはここで説明しない。
【０１２３】
図１０は、本発明の別の実施形態に係るネットワークデバイス１０００の概略構造図である。図１０に示すように、ネットワークデバイス１０００は、プロセッサ１０１０、送受信機１０２０およびメモリ１０３０を含む。プロセッサ１０１０、送受信機１０２０およびメモリ１０３０は、内部接続チャネルを使用して互いに通信し、制御信号および／またはデータ信号を転送する。メモリ１０３０は、命令を記憶するように構成され、プロセッサ１０１０は、メモリ１０３０に記憶された命令を実行するように構成される。送受信機１０２０は、プロセッサ１０１０の制御下で信号を送信するように構成される。
【０１２４】
具体的に言うと、送受信機１０２０は、図９に示すネットワークデバイス９００における送受信機９２０の機能を実装するように構成される。プロセッサ１０１０は、図９に示すネットワークデバイス９００における処理ユニット９１０の機能を実装するように構成される。簡潔にするため、詳細についてはここで説明しない。
【０１２５】
本発明のこの実施形態におけるネットワークデバイス１０００は、本発明のこの実施形態における通信方法でのネットワークデバイス、および、本発明のこの実施形態におけるネットワークデバイス９００に対応し得ることを理解されたい。加えて、ネットワークデバイス１０００におけるユニットの上述および他の動作および／または機能は、図１に示す方法の対応する手順をそれぞれ実装することを意図している。簡潔にするため、詳細についてはここで説明しない。
【０１２６】
当業者であれば、本明細書で開示する実施形態を参照しながら説明した例におけるユニットおよびアルゴリズム段階が、電子ハードウェア、または、コンピュータソフトウェアと電子ハードウェアとの組み合わせにより実装され得ることが分かるであろう。これらの機能がハードウェアにより実行されるかソフトウェアにより実行されるかは、特定の用途および技術的解決策の設計上の制約によって決まる。当業者であれば、複数の異なる方法を使用して、説明した特定の用途ごとの機能を実装できるであろうが、その実装が本願の範囲を超えるものとはみなされるべきではない。
【０１２７】
当業者であれば明確に理解できるであろうが、説明を容易かつ簡潔にすべく、上述のシステム、装置およびユニットの詳細な動作プロセスについては、上述の方法の実施形態における対応するプロセスを参照されたい。詳細についてはここで改めて説明しない。
【０１２８】
本願で提供する幾つかの実施形態において、開示されているシステム、装置および方法は他の方式で実装され得ることを理解されたい。例えば、説明されている装置の実施形態は単に例に過ぎない。例えば、ユニット区分は単に論理機能区分に過ぎず、実際の実装においては他の区分であってよい。例えば、複数のユニットまたはコンポーネントが組み合わされるか統合されて別のシステムになってもよいし、幾つかの特徴が無視されるか実行されなくてもよい。加えて、表示または議論されている相互結合もしくは直接結合または通信接続は、幾つかのインタフェースを使用して実装され得る。装置間またはユニット間の間接的結合または通信接続は、電子的形態、機械的形態、または他の形態で実装され得る。
【０１２９】
個別の部分として説明されているユニットは、物理的に個別であってもなくてもよく、ユニットとして表示されている部分は、物理ユニットであってもなくてもよいし、一箇所に配置されてもよいし、複数のネットワークユニットに分散されてもよい。これらのユニットの幾つかまたは全てが、実施形態の解決策の目的を達成するための実際の要件に基づいて選択され得る。
【０１３０】
加えて、本発明の実施形態における複数の機能ユニットが統合されて１つの処理ユニットになってもよいし、これらのユニットの各々が物理的に単独で存在してもよいし、２つまたはそれより多くのユニットが統合されて１つのユニットになってもよい。
【０１３１】
これらの機能がソフトウェア機能ユニットの形態で実装され、独立した製品として販売または使用されるとき、当該機能はコンピュータ可読記憶媒体に記憶され得る。こうした理解に基づいて、本発明の実施形態の技術的解決策が本質的にソフトウェア製品の形態で具現化されてもよいし、先行技術に寄与する部分または技術的解決策の幾つかがソフトウェア製品の形態で具現化されてもよい。コンピュータソフトウェア製品は、記憶媒体に記憶され、本発明の実施形態において説明した方法の段階の全てまたは幾つかを実行するようコンピュータデバイス（パーソナルコンピュータ、サーバまたはネットワークデバイスなどであってよい）に命令するための命令を幾つか含む。上述の記憶媒体には、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスクなど、プログラムコードを記憶し得る任意の媒体が含まれる。
【０１３２】
上述の説明は、単に本願の特定の実装に過ぎず、本願の保護範囲の限定を意図するものではない。本願の保護範囲には、本願で開示する技術的範囲内で当業者により容易に考案される任意の変形または置換が含まれるものとする。従って、本願の保護範囲は特許請求の範囲の保護範囲の対象になるものとする。
（項目１）
通信方法であって、
端末デバイスが第１指示情報に従って、送信予定のアップリンク制御チャネルにより占有される物理リソースの符号分割多重化能力を取得する段階であって、上記符号分割多重化能力は、符号分割方式で上記物理リソース内のユニットリソースに多重化され得る端末デバイスの数であり、上記第１指示情報は、上位層シグナリングで搬送される、段階と、
上記端末デバイスが上記符号分割多重化能力に基づいて上記物理リソースを決定する段階と、
上記端末デバイスが上記物理リソース上でアップリンク制御情報を送信する段階と
を備える方法。
（項目２）
上記端末デバイスが上記物理リソースの第１リソースインデックスを取得する段階と、
上記端末デバイスが上記アップリンク制御チャネルのシンボル数および／またはシンボル位置を取得する段階と
を更に備え、
上記端末デバイスが上記符号分割多重化能力に基づいて上記物理リソースを決定する上記段階は具体的に、
上記端末デバイスが上記第１リソースインデックス、上記符号分割多重化能力、並びに、上記アップリンク制御チャネルの上記シンボル数および／または上記シンボル位置に基づいて上記物理リソースを決定する段階を有する、
項目１に記載の方法。
（項目３）
上記端末デバイスが上記第１リソースインデックス、上記符号分割多重化能力、並びに、上記アップリンク制御チャネルの上記シンボル数および／または上記シンボル位置に基づいて上記物理リソースを決定する上記段階は具体的に、
上記端末デバイスが上記物理リソースの上記符号分割多重化能力に基づいて、上記物理リソース内の上記ユニットリソースに多重化され得る端末デバイスの数を決定する段階と、
上記端末デバイスが、上記第１リソースインデックスを、上記ユニットリソースに多重化され得る上記端末デバイスの数で割ったときの商を取得することにより、周波数領域における上記物理リソースの第２リソースインデックスを決定する段階と、
上記端末デバイスが、上記第１リソースインデックスを、上記ユニットリソースに多重化され得る上記端末デバイスの数で割って剰余を取得することにより符号領域における上記物理リソースの第３リソースインデックスを決定する段階と、
上記端末デバイスが、上記アップリンク制御チャネルの上記シンボル数および／または上記シンボル位置に基づいて時間領域における上記物理リソースの第４リソースインデックスを決定する段階と
を含む、項目２に記載の方法。
（項目４）
第３指示情報を受信する段階であって、上記第３指示情報は、シンボル数およびシンボル位置の集合を示す、段階と、
ネットワークデバイスにより送信された第２指示情報を受信する段階であって、上記第２指示情報は、上記集合における上記アップリンク制御チャネルの上記シンボル数および上記シンボル位置のインデックスを示すために使用される、段階と
を更に備える、項目１から３の何れか一項に記載の方法。
（項目５）
上記第２指示情報は、上記集合における上記アップリンク制御チャネルの上記シンボル数および／または上記シンボル位置の上記インデックスを含み、上記集合は、上位層シグナリングを使用して上記ネットワークデバイスにより構成される、項目４に記載の方法。
（項目６）
上記集合における複数の異なるシンボル数および／またはシンボル位置によりサポートされ得る最大符号分割多重化能力が同じであるか、上記集合における複数の異なるシンボル数および／またはシンボル位置に対応するスロットタイプが同じである、項目５に記載の方法。
（項目７）
時間領域で上記アップリンク制御チャネルにより占有されるシンボルの数が４から１４であり、符号分割方式で上記物理リソース内の上記ユニットリソースに多重化され得る上記端末デバイスの数は、符号分割方式で上記物理リソース内の上記ユニットリソースに多重化されない対応する端末デバイスの数の１倍、２倍または３倍である、
項目１から６の何れか一項に記載の方法。
（項目８）
通信方法であって、
ネットワークデバイスが、端末デバイスにより送信される予定のアップリンク制御チャネルによって占有される物理リソースの符号分割多重化能力に基づいて上記物理リソースを決定する段階であって、上記符号分割多重化能力は、符号分割方式で上記物理リソース内のユニットリソースに多重化され得る端末デバイスの数であり、上記符号分割多重化能力は、第１指示情報を使用して上記ネットワークデバイスにより上記端末デバイス用に構成され、上記第１指示情報は、上位層シグナリングで搬送される、段階と、
上記ネットワークデバイスが上記物理リソース上で、上記端末デバイスにより送信されたアップリンク制御情報を受信する段階と
を備える方法。
（項目９）
上記ネットワークデバイスが上記物理リソースの第１リソースインデックスを取得する段階と、
上記ネットワークデバイスが上記アップリンク制御チャネルのシンボル数および／またはシンボル位置を取得する段階と
を更に備え、
ネットワークデバイスが、上記端末デバイスにより送信される予定のアップリンク制御チャネルによって占有される物理リソースの符号分割多重化能力に基づいて上記物理リソースを決定する上記段階は、
上記ネットワークデバイスが、上記第１リソースインデックス、上記符号分割多重化能力、並びに、上記アップリンク制御チャネルの上記シンボル数および／または上記シンボル位置に基づいて上記物理リソースを決定する段階
を有する、
項目８に記載の方法。
（項目１０）
上記ネットワークデバイスが上記第１リソースインデックスおよび上記符号分割多重化能力に基づいて上記物理リソースを決定する上記段階は具体的に、
上記ネットワークデバイスが上記物理リソースの上記符号分割多重化能力に基づいて、上記物理リソース内の上記ユニットリソースに多重化され得る端末デバイスの数を決定する段階と、
上記ネットワークデバイスが、上記第１リソースインデックスを、上記ユニットリソースに多重化され得る上記端末デバイスの数で割ったときの商を取得することにより、周波数領域における上記物理リソースの第２リソースインデックスを決定する段階と、
上記ネットワークデバイスが、上記第１リソースインデックスを、上記ユニットリソースに多重化され得る上記端末デバイスの数で割って剰余を取得することにより符号領域における上記物理リソースの第３リソースインデックスを決定する段階と、
上記ネットワークデバイスが、上記アップリンク制御チャネルの上記シンボル数および／または上記シンボル位置に基づいて時間領域における上記物理リソースの第４リソースインデックスを決定する段階と
を含む、項目９に記載の方法。
（項目１１）
上記ネットワークデバイスが第３指示情報を送信する段階であって、上記第３指示情報は、シンボル数およびシンボル位置の集合を示す、段階と、
上記ネットワークデバイスが第２指示情報を送信する段階であって、上記第２指示情報は、上記集合における上記アップリンク制御チャネルの上記シンボル数および上記シンボル位置のインデックスを示すために使用される、段階と
を更に備える、項目８から１０の何れか一項に記載の方法。
（項目１２）
上記第２指示情報は、上記集合における時間領域の上記アップリンク制御チャネルの上記シンボル数および／または上記シンボル位置の上記インデックスを含み、上記集合は、上位層シグナリングを使用して上記ネットワークデバイスにより構成される、項目１１に記載の方法。
（項目１３）
上記集合における複数の異なるシンボル数および／またはシンボル位置によりサポートされ得る最大符号分割多重化能力が同じであるか、上記集合における複数の異なるシンボル数および／またはシンボル位置に対応するスロットタイプが同じである、項目１２に記載の方法。
（項目１４）
時間領域で上記アップリンク制御チャネルにより占有されるシンボルの数が４から１４であり、符号分割方式で上記物理リソース内の上記ユニットリソースに多重化され得る上記端末デバイスの数は、符号分割方式で上記物理リソース内の上記ユニットリソースに多重化されない対応する端末デバイスの数の１倍、２倍または３倍である、
項目８から１３の何れか一項に記載の方法。
（項目１５）
端末デバイスであって、
第１指示情報に従って、送信予定のアップリンク制御チャネルにより占有される物理リソースの符号分割多重化能力を取得するように構成されている処理ユニットと、
上記処理ユニットにより決定された上記物理リソース上でアップリンク制御情報を送信するように構成されている送受信ユニットと
を備え、
上記符号分割多重化能力は、符号分割方式で上記物理リソース内のユニットリソースに多重化され得る端末デバイスの数であり、上記第１指示情報は、上位層シグナリングで搬送され、
上記処理ユニットは更に、上記符号分割多重化能力に基づいて上記物理リソースを決定するように構成される、端末デバイス。
（項目１６）
上記処理ユニットは更に、上記物理リソースの第１リソースインデックスを取得し、上記アップリンク制御チャネルのシンボル数および／またはシンボル位置を取得するように構成され、
上記処理ユニットは具体的に、上記第１リソースインデックス、上記符号分割多重化能力、並びに、上記アップリンク制御チャネルの上記シンボル数および／または上記シンボル位置に基づいて上記物理リソースを決定するように構成される、
項目１５に記載の端末デバイス。
（項目１７）
上記処理ユニットは具体的に、
上記物理リソースの上記符号分割多重化能力に基づいて、上記物理リソース内の上記ユニットリソースに多重化され得る端末デバイスの数を決定し、
上記第１リソースインデックスを、上記ユニットリソースに多重化され得る上記端末デバイスの数で割ったときの商を取得することにより、周波数領域における上記物理リソースの第２リソースインデックスを決定し、
上記第１リソースインデックスを、上記ユニットリソースに多重化され得る上記端末デバイスの数で割って剰余を取得することにより符号領域における上記物理リソースの第３リソースインデックスを決定し、
上記アップリンク制御チャネルの上記シンボル数および／または上記シンボル位置に基づいて時間領域における上記物理リソースの第４リソースインデックスを決定する
ように構成される、項目１６に記載の端末デバイス。
（項目１８）
上記送受信ユニットは更に、
第３指示情報を受信することであって、上記第３指示情報は、シンボル数およびシンボル位置の集合を示す、受信することと、
ネットワークデバイスにより送信された第２指示情報を受信することであって、上記第２指示情報は、上記集合における時間領域の上記アップリンク制御チャネルの上記シンボル数および上記シンボル位置のインデックスを示すために使用される、受信することと
を行うように構成される、
項目１５から１７の何れか一項に記載の端末デバイス。
（項目１９）
上記第２指示情報は、上記集合における上記アップリンク制御チャネルの上記シンボル数および／または上記シンボル位置の上記インデックスを含み、上記集合は、上位層シグナリングを使用して上記ネットワークデバイスにより構成される、項目１８に記載の端末デバイス。
（項目２０）
上記集合における複数の異なるシンボル数および／またはシンボル位置によりサポートされ得る最大符号分割多重化能力が同じであるか、上記集合における複数の異なるシンボル数および／またはシンボル位置に対応するスロットタイプが同じである、項目１９に記載の端末デバイス。
（項目２１）
時間領域で上記アップリンク制御チャネルにより占有されるシンボルの数が４から１４であり、符号分割方式で上記物理リソース内の上記ユニットリソースに多重化され得る上記端末デバイスの数は、符号分割方式で上記物理リソース内の上記ユニットリソースに多重化されない対応する端末デバイスの数の１倍、２倍または３倍である、
項目１５から２０の何れか一項に記載の端末デバイス。
（項目２２）
ネットワークデバイスであって、
端末デバイスにより送信される予定のアップリンク制御チャネルによって占有される物理リソースの符号分割多重化能力に基づいて上記物理リソースを決定するように構成されている処理ユニットであって、上記符号分割多重化能力は、符号分割方式で上記物理リソース内のユニットリソースに多重化され得る端末デバイスの数であり、上記符号分割多重化能力は、第１指示情報を使用して上記ネットワークデバイスにより上記端末デバイス用に構成され、上記第１指示情報は、上位層シグナリングで搬送される、処理ユニットと、
上記処理ユニットにより決定された上記物理リソース上で、上記端末デバイスにより送信されたアップリンク制御情報を受信するように構成されている送受信ユニットと
を備えるネットワークデバイス。
（項目２３）
上記処理ユニットは更に、上記物理リソースの第１リソースインデックスを取得し、上記アップリンク制御チャネルのシンボル数および／またはシンボル位置を取得するように構成され、
上記処理ユニットは具体的に、上記第１リソースインデックス、上記符号分割多重化能力、並びに、上記アップリンク制御チャネルの上記シンボル数および／または上記シンボル位置に基づいて上記物理リソースを決定するように構成される、
項目２２に記載のネットワークデバイス。
（項目２４）
上記処理ユニットは具体的に、
上記物理リソースの上記符号分割多重化能力に基づいて、上記物理リソース内の上記ユニットリソースに多重化され得る端末デバイスの数を決定し、
上記第１リソースインデックスを、上記ユニットリソースに多重化され得る上記端末デバイスの数で割ったときの商を取得することにより、周波数領域における上記物理リソースの第２リソースインデックスを決定し、
上記第１リソースインデックスを、上記ユニットリソースに多重化され得る上記端末デバイスの数で割って剰余を取得することにより符号領域における上記物理リソースの第３リソースインデックスを決定し、
上記端末デバイスが上記アップリンク制御チャネルの上記シンボル数および／または上記シンボル位置に基づいて時間領域における上記物理リソースの第４リソースインデックスを決定する
ように構成される、項目２３に記載のネットワークデバイス。
（項目２５）
上記送受信ユニットは更に、
第３指示情報を送信することであって、上記第３指示情報は、シンボル数およびシンボル位置の集合を示す、送信することと、
第２指示情報を送信することであって、上記第２指示情報は、上記集合における時間領域の上記アップリンク制御チャネルの上記シンボル数および上記シンボル位置のインデックスを示すために使用される、送信することと
を行うように構成される、
項目２２から２４の何れか一項に記載のネットワークデバイス。
（項目２６）
上記第２指示情報は、上記集合における上記アップリンク制御チャネルの上記シンボル数および／または上記シンボル位置の上記インデックスを含み、上記集合は、上位層シグナリングを使用して上記ネットワークデバイスにより構成される、項目２５に記載のネットワークデバイス。
（項目２７）
上記集合における複数の異なるシンボル数および／またはシンボル位置によりサポートされ得る最大符号分割多重化能力が同じであるか、上記集合における複数の異なるシンボル数および／またはシンボル位置に対応するスロットタイプが同じである、項目２６に記載のネットワークデバイス。
（項目２８）
時間領域で上記アップリンク制御チャネルにより占有されるシンボルの数が４から１４であり、符号分割方式で上記物理リソース内の上記ユニットリソースに多重化され得る上記端末デバイスの数は、符号分割方式で上記物理リソース内の上記ユニットリソースに多重化されない対応する端末デバイスの数の１倍、２倍または３倍である、
項目２２から２７の何れか一項に記載のネットワークデバイス。
【図１】
0006932789.tif 000002
【図２】
0006932789.tif 000003
【図３】
0006932789.tif 000004
【図４】
0006932789.tif 000005
【図５】
0006932789.tif 000006
【図６】
0006932789.tif 000007
【図７】
0006932789.tif 000008
【図８】
0006932789.tif 000009
【図９】
0006932789.tif 000010
【図１０】
0006932789.tif 000011